(57)【要約】【課題】橋脚と橋桁の床版との隙間が狭い空間でも遊間の下部に簡単に排水設備を設置することができる側方型簡易排水装置及びその施工方法を提供する。【解決手段】側方型簡易排水装置１は、橋脚２１と橋桁の床版２５との間の空間２６における遊間２４の下部を覆う略Ｕ字型の可撓性を有する止水シート３、止水シートの長手方向の各端縁部に取り付けられる端部ジャバラ蓋５、止水シートの下面に貫通して下方へ延びるように取り付けられる排水パイプ６、止水シートの長手方向に沿った左右の上縁部３１が外方へ向けて延ばされ各上縁部の下部に全長にわたって配設されて止水シートを支持する堅牢な支持材４、支持材とで止水シートの上縁部を挟み込んで固定する支持金具７、堅牢な支持材の両端部に対して橋脚幅から食み出る床版下面から支持材を貫通して取り付けられ当該側方型簡易排水装置を床版下面に固定する固定ボルト１４を備える。【選択図】図１
2018053432.tif 000002
【特許請求の範囲】
【請求項１】
橋脚上で支持されている高架道路などの橋桁の桁端同士が対向する遊間の下部に取り付けられる排水装置であって、
橋脚と橋桁の床版との間の空間における遊間の下部を覆って遊間から流下する雨水などの漏水を受け止め且つ遊間の隙間変化に伴って伸縮可能となるように略Ｕ字型に形成される可撓性を有する止水シートと、
止水シートの長手方向の各端縁部に取り付けられ、止水シートの長手方向の各端縁部を水密に塞ぎ且つ止水シートの伸縮に追従可能な端部ジャバラ蓋と、
止水シートの下面に貫通して下方へ延びるように取り付けられ、遊間から止水シート内に流れ込んだ漏水を排水させる排水パイプと、
止水シートの長手方向に沿った左右の上縁部が外方へ向けて延ばされ、各上縁部の下部に全長にわたって配設されて止水シートを支持する堅牢な支持材と、
止水シートの各上縁部の上部に配設され、支持材とで止水シートの上縁部を挟み込んで固定する支持金具と、
堅牢な支持材の両端部に対して橋脚幅から食み出る床版下面から支持材を貫通して取り付けられ、当該側方型簡易排水装置を床版下面に固定する固定ボルトとを備える側方型簡易排水装置。
【請求項２】
請求項１に記載の側方型簡易排水装置において、
上記支持材の両端部には、当該側方型簡易排水装置を橋脚と床版との間の空間内へ搬送するためのキャスターが取り外し可能に設けられている側方型簡易排水装置。
【請求項３】
請求項２に記載の側方型簡易排水装置において、
上記キャスターは、支持材の下側と上側とに設けられている側方型簡易排水装置。
【請求項４】
請求項１〜３のいずれか１項に記載の側方型簡易排水装置において、
上記支持金具上面と上記床版下面との間に密着して配設される第１漏水防止材と、
上記支持金具下面と上記止水シートの上縁部の上面との間に密着して配設される第２漏水防止材とを有する側方型簡易排水装置。
【請求項５】
請求項２又は３に記載の側方型簡易排水装置を用意し、
橋脚と橋桁の床版との間の空間に対して遊間の長さ方向端部が露出する側方から、当該側方型簡易排水装置を長手方向一端部側のキャスターを橋脚上に載せて遊間の長さ方向に沿って挿入し、
遊間の下部に側方型簡易排水装置が対向して配置されると橋脚幅から食み出た支持材の両端部を床版下面に固定ボルトにより固定し、
上記キャスターは、側方型簡易排水装置を遊間の下部に配置した後、支持材に固定ボルトを固定する前又は固定ボルトの固定後に取り外すようにする側方型簡易排水装置の施工方法。
【発明の詳細な説明】
【技術分野】
【０００１】
本発明は、橋脚上で支持されている高架道路などの橋桁の桁端同士が対向する遊間の下部に取り付けられる側方型簡易排水装置及びその施工方法に関する。
【背景技術】
【０００２】
高架道路などは、振動変位や熱膨張等を吸収できるように橋脚上で支承されている橋桁の桁端同士が対向する遊間（道路の継目間隙）が設けられている。この遊間からは雨水や融雪水などが高架道路下に流下して橋脚や主桁を濡らし腐食等の劣化を進行させてしまう。そのため、橋桁間の遊間に排水設備を設けることが行われている。
【０００３】
例えば、特許文献１には、遊間の対面する側板間にゴム弾性を有する構成材料からなる排水樋を跨設する樋の取付け構造が開示されている。この樋の取付け構造では、樋が左右の側縁の外側に突出片を形成し、遊間の側板に突出片を係合させる突起を設け、樋を下方から押し入れた後に引き下げて突出片を突起に係合させ、突起に塗布した接着剤によって両者を接着させるようにして排水樋が設置される。
【先行技術文献】
【特許文献】
【０００４】
【特許文献１】特開２０１０−１５０８４９号公報
【発明の概要】
【発明が解決しようとする課題】
【０００５】
ところで、橋脚上面と橋桁下面の床版との隙間は、狭い空間となっていることが多い。そのため、橋脚と床版との間の空間において人が入れないくらい狭く作業スペースが確保されない場所では、後付けで排水設備を設置することが実際上困難であった。
また、特許文献１の排水樋は、ゴム弾性材料からなるので撓みやすく、現場での作業時に排水樋が撓んで作業し難いことが懸念される。しかも、排水樋の上縁の突出片が遊間の側板の突起に接着剤で接着されているため、損傷した場合等には簡単に取り換えることができないものである。
【０００６】
本発明は、上記事情に鑑みてなされたものであり、橋脚と橋桁の床版との隙間が狭い空間でも遊間の下部に簡単に排水設備を設置することができる側方型簡易排水装置及びその施工方法を提供することを目的とする。
【課題を解決するための手段】
【０００７】
本発明に係る側方型簡易排水装置は、
橋脚上で支持されている高架道路などの橋桁の桁端同士が対向する遊間の下部に取り付けられる排水装置であって、
橋脚と橋桁の床版との間の空間における遊間の下部を覆って遊間から流下する雨水などの漏水を受け止め且つ遊間の隙間変化に伴って伸縮可能となるように略Ｕ字型に形成される可撓性を有する止水シートと、
止水シートの長手方向の各端縁部に取り付けられ、止水シートの長手方向の各端縁部を水密に塞ぎ且つ止水シートの伸縮に追従可能な端部ジャバラ蓋と、
止水シートの下面に貫通して下方へ延びるように取り付けられ、遊間から止水シート内に流れ込んだ漏水を排水させる排水パイプと、
止水シートの長手方向に沿った左右の上縁部が外方へ向けて延ばされ、各上縁部の下部に全長にわたって配設されて止水シートを支持する堅牢な支持材と、
止水シートの各上縁部の上部に配設され、支持材とで止水シートの上縁部を挟み込んで固定する支持金具と、
堅牢な支持材の両端部に対して橋脚幅から食み出る床版下面から支持材を貫通して取り付けられ、当該側方型簡易排水装置を床版下面に固定する固定ボルトとを備えるものである。
【０００８】
また、本発明に係る側方型簡易排水装置の施工方法は、
上記側方型簡易排水装置として上記支持材の両端部に当該側方型簡易排水装置を橋脚と床版との間の空間内へ搬送するためのキャスターが取り外し可能に設けられているものを用意し、
橋脚と橋桁の床版との間の空間に対して遊間の長さ方向端部が露出する側方から、当該側方型簡易排水装置を長手方向一端部側のキャスターを橋脚上に載せて遊間の長さ方向に沿って挿入し、
遊間の下部に側方型簡易排水装置が対向して配置されると橋脚幅から食み出た支持材の両端部を床版下面に固定ボルトにより固定し、
上記キャスターは、側方型簡易排水装置を遊間の下部に配置した後、支持材に固定ボルトを固定する前又は固定ボルトの固定後に取り外すようにするものである。
【発明の効果】
【０００９】
本発明によれば、橋脚と橋桁の床版との隙間が狭く人が入り込めない空間でも遊間の下部に簡単に排水設備を設置することができる。
【図面の簡単な説明】
【００１０】
【図１】実施形態による側方型簡易排水装置の設置状態を示す斜視図である。
【図２】実施形態による側方型簡易排水装置を示す斜視図である。
【図３】実施形態による側方型簡易排水装置（端部ジャバラ蓋を除く。）の構成を示す分解図である。
【図４】実施形態による側方型簡易排水装置（端部ジャバラ蓋を除く。）において、端部の固定部分以外の部分（同図（ａ））と固定部分（同図（ｂ））を示す断面模式図である。
【図５】実施形態による側方型簡易排水装置の施工手順を説明するための模式図である。
【図６】実施形態による側方型簡易排水装置の施工手順を説明するための模式図である。
【発明を実施するための形態】
【００１１】
以下に、本発明の実施形態について添付図面を参照しながら説明する。
なお、本発明は、以下の実施形態のみに限定されず、特許請求の範囲内で任意に変更することが可能である。
【００１２】
図１、図２を参照して、実施形態の側方型簡易排水装置１は、橋脚２１上で支承されている高架道路などの橋桁２２の桁端２３，２３同士が対向する遊間２４の下部に取り付けられるものである。側方型簡易排水装置１は、橋脚２１とコンクリートの床版２５との間の狭い空間２６において遊間２４の下部を覆うように配設される止水シート３を備えている。
【００１３】
止水シート３は、例えば、ゴム引布から形成されており、止水性、耐久性、可撓性を有する。止水シート３は、無保持状態では長方形状の一枚のシートであるが、一対の堅牢な支持材４，４に支持されることより、略Ｕ字型に湾曲させて樋状に長く延びるように形成されている。止水シート３は、遊間２４から流下する雨水などの漏水を受け止め且つ遊間２４の隙間変化に応じて略Ｕ字型の幅が伸縮できるものである。止水シート３の長さは、設置する遊間２４の下の橋脚２１の幅（遊間２４の長さ方向に一致する側の橋脚幅）よりも長く形成される。これにより、遊間２４下の橋脚２１や主桁などが遊間２４から流下する漏水に晒されることがなく、橋脚２１や主桁などが漏水で濡れて早期に腐食等して劣化することが防止される。
【００１４】
止水シート３の長手方向の各端縁部には、半円状の端部ジャバラ蓋５が取り付けられている。端部ジャバラ蓋５は、止水シート３の長手方向の各端縁部を水密に塞ぎ且つ遊間２４の間隔変化に伴う止水シート３の伸縮に追従できるものである。
【００１５】
止水シート３の長手方向の一端側には、排水パイプ６が止水シート３の下面に貫通して下方へ延びるように取り付けられている。この排水パイプ６により、遊間２４から止水シート３内に流れ込んだ漏水が排水される。排水パイプ６は、ゴムなどの柔軟性を有する部材から形成されており、端末には所定の排水経路に接続することができる。排水パイプ６の取付け位置は、側方型簡易排水装置１を橋脚２１上の床版２５下面に設置した状態で排水パイプ６が橋脚２１から食み出る橋脚２１の外側に配置されるように止水シート３の一端側に取り付けられているので、橋脚２１と床版２５との間の空間２６が狭くても、排水パイプ６が邪魔にならず側方型簡易排水装置１を橋脚２１と床版２５との間の狭い空間２６に配設することができる。なお、側方型簡易排水装置１を設置する床版２５下面と橋脚２１上面との間の空間２６として、人は入り込めないが排水パイプ６を横向きに配置できるスペース的余裕がある場合は排水パイプ６の取付け位置として止水シート３の端部に限らず中央部等の任意の位置に取り付けることができる。
【００１６】
止水シート３の長手方向に沿った左右の上縁部３１，３１には、支持材４，４が取り付けられている。支持材４は、堅牢な部材からなり、例えば、アルミ製の角パイプ６のような堅牢であり且つ軽量な部材で形成されている。支持材４は、左右に配設されて止水シート３の左右の上縁部３１を全長にわたって固定することにより止水シート３を支持する。すなわち、図３、図４（ａ）を参照して、外方へ向けて水平に延ばした止水シート３の上縁部３１を支持材４の上面に配置して、この止水シート３の上縁部３１の上部に平板状の長尺な支持金具７を配設して支持材４と支持金具７とにより止水シート３の上縁部３１を挟み込むようにして、止水シート３の長さ方向の複数箇所に取付ボルト１１を貫通させてナット１２を締め付けて止水シート３を支持材４に固定して、止水シート３を一対の支持材４，４間に略Ｕ字型の形状に垂れ下がるように保持している。この場合、止水シート３は、底面が支持材４と平行となるように固定されるが、止水シート３の底面が排水パイプ６側に向かって下り勾配となるように固定されてもよい。
【００１７】
支持材４及び支持金具７は、止水シート３と略同じ長さを有する。支持金具７の上面には、支持金具７の全長にわたって第１漏水防止材８１が密着して配設されている（図３参照）。第１漏水防止材８１は、例えば、ゴムなどのシール材により形成されている。従って、側方型簡易排水装置１を遊間２４の下部を覆って床版２５の下面に固定すると、第１漏水防止材８１が床版２５の下面に密着され、この第１漏水防止材８１により、遊間２４から流下する漏水が側方型簡易排水装置１の内側から床版２５と支持金具７との間に浸入することを防止する。また、支持金具７の下面と止水シート３の上縁部３１の上面との間には、支持金具７の全長にわたって第２漏水防止材８２が密着して配設されている（図３参照）。第２漏水防止材８２は、例えば、ゴムなどのシール材により形成されている。従って、この第２漏水防止材８２により、遊間２４から流下する漏水が側方型簡易排水装置１の内側から支持金具７と止水シート３の上縁部３１との間に浸入することを防止する。よって、第１漏水防止材８１及び第２漏水防止材８２により、遊間２４から側方型簡易排水装置１に流下する漏水が止水シート３と床版２５との間から側方型簡易排水装置１の外側へ漏れ出すことを防止することができる。なお、支持材４、支持金具７、止水シート３の上縁部３１、第２漏水防止材８２には、複数の取付ボルト１１を挿通させる複数の貫通孔１３が設けられている。
【００１８】
図１、図４（ｂ）を参照して、支持材４の長さ方向の両端部では、アンカーボルト（固定ボルト）１４が支持材４の上下方向に貫通して床版２５下面に固定され、これにより、側方型簡易排水装置１が遊間２４の下部を覆うように遊間２４に跨って床版２５下面に取り付けられる。この場合、橋脚２１と床版２５との間の狭い空間２６に位置する支持材４，４の中央部は床版２５にボルト固定しなくても、支持材４，４の両端部をアンカーボルト１４で床版２５に固定することにより、堅牢な一対の支持材４，４により側方型簡易排水装置１を床版２５の下面に安定保持することができる。なお、支持材４、支持金具７、止水シート３の上縁部３１、第１漏水防止材８１、第２漏水防止材８２には、アンカーボルト１４を挿通させる貫通孔１５（図６参照）が設けられている。
【００１９】
図２を参照して、側方型簡易排水装置１は、当該側方型簡易排水装置１を橋脚２１と床版２５との間の狭い空間２６内へ搬送するためのキャスター９１，９５が取り外し可能に設けられている。これにより、側方型簡易排水装置１を設置する床版２５下面と橋脚２１上面との間の空間２６が、人が入り込めない狭い空間２６であっても、この橋脚２１上面と床版２５下面との間の狭い空間２６内に橋脚２１の側方から側方型簡易排水装置１を容易に送り込むことができる。
【００２０】
キャスター９１，９５は、支持材４の両端部の下側と上側とに取り付けられている。下側のキャスター９１は、下方に延びる２本の脚部９３，９３を有するＨ字形の基台９２と、各脚部９３，９３の下端に取り付けられたコロ９４，９４とを有し、コロ９４が下向きとなるように基台９２の部分が左右の支持材４，４の端面に跨って取り付けられている。上側のキャスター９５は、１本の角棒状の基台９６と、基台９６の長さ方向に並べて取り付けられた２つのコロ９７，９７とを有し、コロ９７が上向きとなるように基台９６の部分が下側のキャスター９１よりも支持材４の中央部寄りの位置で左右の支持材４，４の上（第１漏水防止材８１の露出面）に架け渡して取り付けられている。上下の各キャスター９１，９５は、例えば、粘着テープ９８を基台９２，９６と支持材４との間に貼り付けて取り付けられ、粘着テープ９８を剥がすことで支持材４から簡単に取り外せるようになっている。なお、キャスターは、支持材４の下側だけに取り付けるようにしてもよい。
【００２１】
次に、図５、図６を参照して、実施形態の側方型簡易排水装置１を遊間２４に設置する施工手順を説明する。
予め施工現場の橋脚２１幅や遊間２４の間隔などに応じて上記構成の側方型簡易排水装置１を工場にて作製しておく。これにより、施工現場では、以下に述べるように側方型簡易排水装置１を遊間２４下部に配置して床版２５下面にアンカーボルト１４で固定する程度の作業で済み、現場作業を軽減することができる。
施工現場では、橋脚２１と橋桁２２の床版２５との間の空間２６に対して遊間２４の長さ方向端部が露出する橋脚２１の側方から、側方型簡易排水装置１を長手方向一端部側のキャスター９１，９５を橋脚２１上に配置させて遊間２４の長さ方向に沿って挿入する（図５（ａ）（ｂ）参照）。このとき、側方型簡易排水装置１は、一対の堅牢な支持材４，４で形状が安定して保持されているので、側方型簡易排水装置１が撓んで折れ曲がったりすることなく安定した姿勢で容易に取り扱うことができる。また、側方型簡易排水装置１の下側のキャスター９１が橋脚２１上面を円滑に転がり、上側のキャスター９５が床版２５下面に当たって円滑に転がるので、人が入り込めない橋脚２１と床版２５との間の狭い空間２６内へ挿入する作業を橋脚２１の側方から容易に且つ円滑に行うことができる。
側方型簡易排水装置１を橋脚２１幅いっぱいに挿入して遊間２４の下部に対向して配置すると（図５（ｃ）参照）、側方型簡易排水装置１に取り付けていたキャスター９１，９５をすべて取り外す。各キャスター９１，９５は、側方型簡易排水装置１の両端部において支持材４に粘着テープ９８で取り付けられているので、橋脚２１の外側からの作業で粘着テープ９８を剥がす等してキャスター９１，９５を側方型簡易排水装置１から簡単に取り外すことができる。
そして、橋脚２１幅から食み出た床版２５下面において遊間２４を跨いだ各位置に打ち込んだアンカーボルト１４を橋脚２１幅から食み出た支持材４の両端部に上下に貫通させ締め付けて固定する（図６参照）。以上で、図１に示すように側方型簡易排水装置１が遊間２４に跨って床版２５下面に配設され、施工が完了する。
【００２２】
以上のように、実施形態の側方型簡易排水装置１によれば、橋脚２１と橋桁２２の床版２５との隙間が人の入り込めない狭い空間２６であって作業スペースが確保されない現場でも、遊間２４の下部に後付けで側方型簡易排水装置１を簡単に設置することができる。
側方型簡易排水装置１は、キャスター９１，９５が取り付けられているので、持ち運びがよく、また、現場での設置作業を容易に行うことができる。側方型簡易排水装置１は、一対の支持材４で形状が安定的に保持されているので、折れ曲がって撓んだりせず、取り扱いやすく現場での設置作業を容易に行うことができる。
側方型簡易排水装置１の床版２５下面への固定は、橋脚２１幅から食み出た床版２５下面において側方型簡易排水装置１の両端部をアンカーボルト１４により固定するので、側方型簡易排水装置１のメンテナンスや損傷等した場合でも橋脚２１と床版２５との間の狭い空間２６に潜り込むことなく橋脚２１の外側からの作業により簡単に取り換えることができる。
【符号の説明】
【００２３】
１  側方型簡易排水装置
３  止水シート
４  支持材
５  端部ジャバラ蓋
６  排水パイプ
７  支持金具
１１  取付ボルト
１２  ナット
１３  貫通孔
１４  アンカーボルト（固定ボルト）
２１  橋脚
２２  橋桁
２３  桁端
２４  遊間
２５  床版
２６  空間
３１  上縁部
８１  第１漏水防止材
８２  第２漏水防止材
９１  キャスター（下側）
９３  脚部
９２，９６  基台
９４，９７  コロ
９５  キャスター（上側）
９８  粘着テープ
【図１】
2018053432.tif 000003
【図２】
2018053432.tif 000004
【図３】
2018053432.tif 000005
【図４】
2018053432.tif 000006
【図５】
2018053432.tif 000007
【図６】
2018053432.tif 000008